(57)【要約】      （修正有）【課題】機器に設けたコネクタの配置に対して共通の部品でありながらフレキシブルに対応することができるプラグ抜け防止装置を提供する。【解決手段】機器Ｂのコネクタに差し込んだプラグ２０が抜けないようにするプラグ抜け防止装置は、プラグ２０の背面に係合させる方形状の係合板１と、該係合板１を機器Ｂに固定する固定部材２とで構成され、上記係合板１にはプラグ２０の基部を導入する開口部３と、上記プラグ２０のケーブル２１を開口部３に案内するためのスリット４とを連設するとともに、上記係合板１の４つの隅それぞれ円形状の係合孔を配置し、固定部材２を面ファスナーで構成するとともに、機器の壁面に取り付ける方形状の取付体７と、該取付体７の一辺の両端近傍から延出させ、上記係合孔に挿通させる平紐状の係合体８とで形成し、上記取付体７の裏面には該取付体７を機器Ｂの壁面ｂに固定する接着部材９を設けた。【選択図】図２
0003162496.tif 000002
【実用新案登録請求の範囲】
【請求項１】
機器のコネクタに差し込んだプラグが抜けないようにする、以下の要件を備えることを特徴とするプラグ抜け防止装置。
（イ）上記プラグ抜け防止装置はプラグの背面に係合させる係合板と、該係合板を機器に固定する固定部材とで構成されていること
（ロ）上記係合板は方形状で中央にはプラグの基部を導入することができる大きさの開口部が形成されるとともに、該開口部には上記プラグのケーブルを開口部に案内するためのスリットが連設されていること
（ハ）上記係合板の４隅にはそれぞれ上記固定部材を係合させる係合孔を配置し、該係合孔を円形状に形成したこと
（ニ）上記固定部材は面ファスナーで構成されるとともに、機器の壁面に取り付ける方形状の取付体と、該取付体の一辺の両端近傍から延出させ、上記係合孔に挿通させる平紐状の係合体とで形成するとともに、上記取付体の裏面には該取付体を機器の壁面に接着する接着部材を設けたこと
【請求項２】
前記係合孔を円形状に代えて前記係合板の各辺に平行な係合面を有する係合孔で構成した、請求項１記載のプラグ抜け防止装置。
【考案の詳細な説明】
【技術分野】
【０００１】
本考案は、プラグ抜け防止装置、詳しくは機器のコネクタに差し込んだプラグが簡単に抜けないようにするプラグ抜け防止装置に関するものである。
【背景技術】
【０００２】
従来、機器のコネクタに差し込んだプラグが抜けないようにするプラグ抜け防止装置が本出願人から提案されている（例えば、特許文献１）。このプラグ抜け防止装置はプラグの背面に係合させる係合板と、機器の壁面に固定する固定部材と、固定部材と係合板とを連結する面ファスナーからなる連結部材とを備え、係合板の両側部には連結部材を挿通させる挿通口を形成したもので、固定部材には連結部材の一端を取り付け、機器の壁面に当接させる面には固定部材接着部材を設けたもので、固定部材を機器の壁面に固定し連結部材を係合板の挿通口を挿通させて折り返し面ファスナー同士を係合させることにより固定できるようにしたものである。
【先行技術文献】
【特許文献】
【０００３】
【特許文献１】登録実用第３１４４６４３号公報
【考案の概要】
【考案が解決しようとする課題】
【０００４】
本考案が解決しようとする問題点は、上述のプラグ抜け防止装置は係合板と固定部材と係合板を連結する為の連結部材とで構成されているが、係合板に形成された連結部材を挿通する挿通口が係合板の対向する２辺にしか形成されていない為、機器に設けられたコネクタの配置や、機器の形状にフレキシブルに対応できないし、連結部材と固定部材とを別部材で構成する為コストも掛かる問題があった。
【０００５】
本考案は、上記問題点を解決し、機器に設けたコネクタの配置に対して共通の部品でありながらフレキシブルに対応することができるとともに、コスト低減を図ることができるプラグ抜け防止装置を提供することを課題とする。
【課題を解決するための手段】
【０００６】
前記課題を解決するために本考案に係るプラグ抜け防止装置は、機器のコネクタに差し込んだプラグが抜けないようにする、以下の要件を備えることを特徴とする。
（イ）上記プラグ抜け防止装置はプラグの背面に係合させる係合板と、該係合板を機器に固定する固定部材とで構成されていること
（ロ）上記係合板は方形状で中央にはプラグの基部を導入することができる大きさの開口部が形成されるとともに、該開口部には上記プラグのケーブルを開口部に案内するためのスリットが連設されていること
（ハ）上記係合板の４隅にはそれぞれ上記固定部材を係合させる係合孔を配置し、該係合孔を円形状に形成したこと
（ニ）上記固定部材は面ファスナーで構成されるとともに、機器の壁面に取り付ける方形状の取付体と、該取付体の一辺の両端近傍から延出させ、上記係合孔に挿通させる平紐状の係合体とで形成するとともに、上記取付体の裏面には該取付体を機器の壁面に接着する接着部材を設けたこと
【０００７】
なお、前記係合孔を円形状に代えて前記係合板の各辺に平行な係合面を有する係合孔で構成しても構わない。
【考案の効果】
【０００８】
本考案によれば、方形状の係合板の４つの隅に係合孔を形成し、固定部材の平紐状の係合体を係合孔に係合させることにより、プラグと機器の壁面との関係に柔軟に対応することができるので、機器に設けたコネクタの配置に対して共通の部品でありながら柔軟に対応することができるとともに、異なる形状の部品を用意する必要がないので供給者側にも需要者側にも有効なプラグ抜け防止装置を提供することができる。そして、係合孔を円形状に形成したことにより係合体を通しやすいし、どの角度からも通すことができるので取り付け作業が楽になるとともに、係合板の成形性が良くなる。
【０００９】
なお、係合孔を円形状に代えて係合板の各辺に平行な係合面を有する係合孔で形成しても、プラグと機器の壁面との関係に柔軟に対応することができるので、機器に設けたコネクタの配置に対して共通の部品でありながら柔軟に対応することができる。
【図面の簡単な説明】
【００１０】
【図１】（ａ）（ｂ）は本考案に係るプラグ抜け防止装置の構成を説明する斜視図
【図２】（ａ）（ｂ）は上記プラグ抜け防止装置の取り付け過程を説明する斜視図
【図３】（ａ）（ｂ）は上記プラグ抜け防止装置の取り付け過程を説明する斜視図
【図４】（ａ）（ｂ）は上記プラグ抜け防止装置の他の取り付け過程を説明する斜視図
【図５】（ａ）（ｂ）は上記プラグ抜け防止装置の他の取り付け過程を説明する斜視図
【図６】（ａ）（ｂ）は上記プラグ抜け防止装置の別の取り付け状態を説明する斜視図
【図７】（ａ）〜（ｃ）は係合板の他の例を説明する正面図及び斜視図
【考案を実施するための形態】
【００１１】
図１は本考案に係るプラグ抜け防止装置の一例を示し、このプラグ抜け防止装置Ａは、プラグの背面に係合させる係合板１と、この係合板１を機器に固定する固定部材２とで構成されている。
【００１２】
係合板１は、図１（ａ）に示すように、略方形状に形成された樹脂製の板部材で、この係合板１の中央には機器のコネクタに差し込んだプラグの基部を複数（本実施例では２個）収容できる大きさの長円形の開口部３が形成され、この開口部３には係合板１の外周部に連通するスリット４が連設され、このスリット４を介してプラグのケーブルを開口部３内に導入することができるようになっている。
【００１３】
さらに、係合板１の4つの隅はそれぞれ係合孔５が形成されている。この係合孔５は後述する固定部材２の係合体８を挿通させるためもので、この係合孔５は係合体８を挿通できる程度の大きさの円形状に形成されている。
【００１４】
固定部材２は、機器の壁面に取り付ける方形状の取付体７と、この取付体７の１つの辺の両端近傍から延出させ、上記係合板１の係合孔５に挿通させる平紐状の係合体８とからなり（図１（ａ）参照）、この固定部材２はフックとループとが表面に形成されたフック・ループ混在型面ファスナーで構成されていればよい。そして、取付体７の裏面７ａには、図１（ｂ）に示すように、機器の壁面に接着するための接着部材９が設けてある。この接着部材９は接着力の強い両面接着テープ（例えば、住友スリーエム（株）の両面テープＹ−４９５０）で構成されていればよい。
【００１５】
次に、上記構成のプラグ抜け防止装置Ａの使用態様を説明する。図２（ａ）は、２つのＵＳＢのコネクタが縦方向で横並びに配置されている横置きの機器ＢにＵＳＢのプラグ２０が差し込まれた状態を示し、このプラグ２０が差し込まれた状態で、係合板１のスリット４をプラグ２０のケーブル２１に対応させてケーブル２１を開口部３内に収容した後、係合板１をプラグ２０の背面に当接させる（図２（ｂ）参照）。
【００１６】
次に、固定部材２の取付体７の裏面に取り付けた接着部材（以下、両面接着テープという）９の粘着面を保護する図示しない保護シートを剥がして、図２（ａ）に示すように、コネクタ２０が配置された壁面と直交する壁面ｂに接着して取付体７を機器Ｂに固定する（図２（ｂ）参照）。
【００１７】
取付体７を機器Ｂの壁面ｂに固定したら、平紐状の係合体８を係合板１の係合孔５に挿通し（図３（ａ）参照）、挿通した係合体８を折り返し、図３（ｂ）に示すように、固定部材２と係合体８との面ファスナー同士を圧接して係合させればよい。
【００１８】
また、図４（ａ）は、２つのコネクタが横方向で上下に配置されている横置きの機器ＢにＵＳＢのプラグ２０が差し込まれた状態を示し、このプラグ２０が差し込まれた状態で、係合板１のスリット４をプラグ２０のケーブル２１に対応させてケーブルを開口部３内に収容した後、係合板１をプラグ２０の背面に当接させる（図４（ｂ）参照）。
【００１９】
次に、固定部材２の取付体７の裏面に取り付けた両面接着テープ９の粘着面を保護する図示しない保護シートを剥がして機器Ｂの壁面ｂに接着して取付体７を機器Ｂに固定する。
【００２０】
取付体７を機器Ｂに固定したら平紐状の係合体８を係合板１の係合孔５に挿通し（図４（ａ）参照）、挿通した係合体８を折り返し、図４（ｂ）に示すように、固定部材２と係合体８との面ファスナー同士を圧接して係合させればよい。
【００２１】
さらに、図６（ａ）は、機器Ｂが縦置き型で、コネクタが上下方向に配置され、図６（ｂ）は機器Ｂが縦置き型で、コネクタが左右方向に配置されている場合の、プラグ抜け防止装置の使用態様を説明するもので、いずれの場合も係合板１の係合孔５のどの係合孔５を使用するのかを選択することで柔軟に対応することができる。
【００２２】
上述したように、プラグ２０の背面に係合板１を係合させ、この係合板１を固定部材２で機器Ｂに固定することにより、ケーブル２１がプラグ２０の抜き方向に引かれても、プラグ２０は簡単にはコネクタから抜けることはない。しかも、取付体７に掛かる外力は両面接着テープ９の引き剥がし方向と直交する方向に働くので、簡単に機器Ｂの壁面ｂから剥がれることはなく、簡単な構造と、簡単な取付方法とでプラグの抜けを防止することができる。
【００２３】
そして、機器に対するコネクタの配置関係が様々であっても、係合体８を対応する係合孔５を選択し、選択した係合孔５に係合体８を挿通させればよいので、コネクタの配置状況と機器の筐体の形状とに柔軟に対応することができる。
【００２４】
しかも、係合孔５を円形状に形成したことにより係合板５の成形性が良くなるし、係合孔５に係合体８を通しやすいし、どの角度からも通すことができるので取り付け作業を楽にすることができる。
【００２５】
なお、本実施例では、係合板１に設けた係合孔５は円形状に形成した場合について説明したが、係合板１に設ける係合孔５は必ずしも円形状に限定されるものではなく、例えば、図７（ａ）の係合板１２の正面図及び斜視図に示すように、係合板５の４つの辺にそれぞれ２つの係合孔５を配置し、各係合孔５を長孔で形成してもよいし図７（ｂ）の係合板１の正面図及び斜視図に示すように、係合板１の四隅に1つずつ配置するとともに、各係合孔５を鉤型に曲折させた長孔で形成してもよいし、図７（ｃ）の係合板１の正面図及び斜視図に示すように、係合孔５を三角形状に形成してもよい。そして、各係合孔５に固定部材２の係合体８が係合する係合面５ａを係合板１の各辺に並行になるように配置すればよい。
【符号の説明】
【００２６】
１    係合板
２    固定部材
３    開口部
４    スリット
５    係合孔
７    取付体
８    係合体
９    接着部材（両面接着テープ）
２０    プラグ
２１    ケーブル
Ａ    プラグ抜け防止装置
Ｂ    機器
【図１】
0003162496.tif 000003
【図２】
0003162496.tif 000004
【図３】
0003162496.tif 000005
【図４】
0003162496.tif 000006
【図５】
0003162496.tif 000007
【図６】
0003162496.tif 000008
【図７】
0003162496.tif 000009